(57)【特許請求の範囲】
【請求項１】
電話回線網と接続可能な２つの端子を有する回線接続端子と、
前記各端子と一対の接続線を介して接続され、前記一対の接続線間の電圧を検出する電圧検出回路と、前記各回線接続端子に接続される電話回線を介して外部との間で信号の送受信を行う回線信号送受信回路と、を有するモデム部と、
前記モデム部によって送受信される信号を画像処理する画像処理部と、
前記モデム部と前記画像処理部とに電力を供給する電源部と、
制御部と、を備え、
前記制御部は、
前記電源部から前記画像処理部と前記電圧検出回路と前記回線信号送受信回路とへの電力供給させ、前記回線信号送受信回路による前記信号の受信又は命令に応じて前記画像処理部に前記信号の処理を指示する通常モード処理と、
前記通常モード処理中に前記電圧検出回路が検出した前記電圧を検出したか否かを示す第１情報と、前記通常モード処理開始時又は前記信号の受信若しくは前記命令があった時から第１所定時間の間、前記信号の受信又は前記命令が無い場合、前記電圧検出回路が検出した前記電圧を検出したか否かの第２情報と、を取得する第１電圧検出情報取得処理と、
前記通常モード処理開始時又は前記信号の受信若しくは前記命令があった時から前記第１所定時間の間、前記信号の受信又は前記命令が無い場合において、前記第１電圧検出情報取得処理で取得された前記第１情報又は前記第２情報のいずれかが電圧検出であった場合、前記電源部から前記画像処理部及び前記電圧検出回路への電力供給を停止させる、スリープモード移行処理と、
前記第１電圧検出情報取得処理で取得された前記第２情報が電圧検出であった場合、第２所定時間が第１時間に設定され、前記第１情報が電圧検出、前記第２情報が電圧未検出であった場合、前記第２所定時間は、前記第１時間より短い第２時間に設定され、
前記スリープモード移行処理から前記第２所定時間の間、前記信号の受信又は前記命令が無い場合、前記電源部から前記電圧検出回路へ電力供給させ、取得された前記電圧を検出したか否かを示す情報を取得する第２電圧検出情報取得処理と、
前記第２電圧検出情報取得処理で取得された情報が電圧未検出であった場合、又は、前記通常モード処理開始時又は前記信号の受信若しくは命令があった時から前記第１所定時間の間、前記信号の受信又は命令が無く、前記第１電圧検出情報取得処理で取得された前記第１情報と前記第２情報とが共に電圧未検出であった場合、前記電源部から前記画像処理部と前記電圧検出回路と前記回線信号送受信回路とへの電力供給を停止させる、オフモード移行処理と、
を実行する画像処理装置。
【請求項２】
請求項１記載の画像処理装置であって、
前記第２電圧検出情報取得処理で取得された情報が電圧検出であった場合、前記スリープモード移行処理を実行する、
画像処理装置。
【請求項３】
請求項２記載の画像処理装置であって、
前記第２電圧検出情報取得処理で取得された情報が電圧検出であった場合の前記スリープモード移行処理を実行後、前記第２所定時間を前記第１時間として、再度、前記第２電圧検出情報取得処理を実行する、
画像処理装置。
【発明の詳細な説明】
【技術分野】
【０００１】
本発明は、電話回線に接続され、データの通信を行う画像処理装置に関する。
【背景技術】
【０００２】
従来、特許文献１のように、モデム部や、画像形成部、画像読取部といった画像処理部、を有するファクシミリ装置等の画像処理装置がある。モデム部は、回線接続端子に接続されている電話回線の回線電圧を検出する電圧検出回路と、電話回線を介して外部に電話やファックスの画像データ等の信号を送受信する回線信号送受信回路とを有する。この画像処理装置では、省エネモード時に、画像処理部、及び、モデム部内の各種回路への電力供給を停止させることで省電力が達成される。そして、電話やファックスの画像データ等の信号の受信、又は、所定時間の間、画像形成部への画像形成指示等の命令が無い場合、画像処理部及びモデム部内の各種回路への電源供給される通常モードから省エネモードへ移行する。
【先行技術文献】
【特許文献】
【０００３】
【特許文献１】特開２０１４−３６３７９号公報
【発明の概要】
【発明が解決しようとする課題】
【０００４】
省エネモードには、画像形成部や画像読取部等の画像処理部に対する電力供給を停止し、モデム部内の回線信号送受信回路に対して電源供給させるスリープモード、回線接続端子に電話回線が接続されていない場合、モデム部全体に電源供給すると無駄となる為、電圧検出回路が回線電圧を検出しない場合、スリープモードから更にモデム部全体に対して電力供給を停止するオフモードといった省エネモードがある。
【０００５】
その際、スリープモードに移行してから所定時間経過時に電圧検出回路が回線接続端子の電圧を検出し、電圧検出回路が回線接続端子の電圧を検出しない場合、回線接続端子に電話回線が接続されていないものとみなし、スリープモードからオフモードへ移行するようにする。すると、スリープモード移行前から電話回線が接続されていない場合、回線信号送受信回路に電源供給しておく必要性はないにもかかわらず、スリープモード時に所定時間の間、回線信号送受信回路に電源供給されることになり、無駄に電源供給されることになる。
【０００６】
また、スリープモードへ移行する前に、電圧検出回路が回線接続端子の電圧を検出しない場合は、オフモードへ移行する場合も考えられる。しかし、その場合は、偶発的に電圧が落ちている場合もあり、１回の電圧検出回路の検出結果だけでは、本当に回線接続端子に電話回線が接続されていないと判別できるのか否か定かではないという問題があった。
【０００７】
本発明の目的は、スリープモード移行処理の実行前に電圧検出回路が電圧を検出した場合には、電圧検出回路を無駄に駆動させないことで省エネを図ることができ、通常モード処理中に電圧検出回路が電圧を検出せず、かつ、スリープモード移行処理の実行前に電圧検出回路が電圧を検出しない場合には、本当に回線接続端子に電話回線が接続されていないと判断し、オフモード移行処理を実行することによって、電圧検出回路を無駄に駆動させないことで省エネを図ることができる、画像処理装置を提供することである。
【課題を解決するための手段】
【０００８】
前記の目的を達成するため、本発明に係る画像処理装置は、電話回線網と接続可能な２つの端子を有する回線接続端子と、前記各端子と一対の接続線を介して接続され、前記一対の接続線間の電圧を検出する電圧検出回路と、前記各回線接続端子に接続される電話回線を介して外部との間で信号の送受信を行う回線信号送受信回路と、を有するモデム部と、前記モデム部によって送受信される信号を画像処理する画像処理部と、前記モデム部と前記画像処理部とに電力を供給する電源部と、制御部と、を備え、前記制御部は、前記電源部から前記画像処理部と前記電圧検出回路と前記回線信号受信回路とへの電力供給させ、前記回線信号送受信回路による前記信号の受信又は命令に応じて前記画像処理部に前記信号の処理を指示する通常モード処理と、前記通常モード処理中に前記電圧検出回路が検出した前記電圧を検出したか否かを示す第１情報と、前記通常モード処理開始時又は前記信号の受信若しくは前記命令があった時から所定時間の間、前記信号の受信又は前記命令が無い場合、前記電圧検出回路が検出した前記電圧を検出したか否かの第２情報と、を取得する第１の電圧検出情報取得処理と、前記通常モード処理開始時又は前記信号の受信若しくは前記命令があった時から所定時間の間、前記信号の受信又は前記命令が無い場合、前記電源部から前記画像処理部及び前記電圧検出回路への電力供給を停止させる、スリープモード移行処理と、前記第１の電圧検出情報取得処理で取得された前記第２情報が電圧検出であった場合、所定時間が第１時間に設定され、前記第１情報が電圧検出、前記第２情報が電圧未検出であった場合、前記所定時間は、前記第１時間より短い第２時間に設定され、前記スリープモード移行処理から前記所定時間の間、前記信号の受信又は前記命令が無い場合、前記電源部から前記電圧検出回路へ電力供給させ、取得された前記電圧を検出したか否かを示す情報を取得する第２電圧検出情報取得処理と、前記第２電圧検出情報取得処理で取得された情報が電圧未検出であった場合、前記電源部から前記画像処理部と前記電圧検出回路と前記回線信号受信回路とへの電力供給を停止させる、オフモード移行処理と、を有する。
【０００９】
この構成によれば、通常モード処理開始時又は前記信号の受信若しくは前記命令があった時から所定時間の間、前記信号の受信又は前記命令が無い場合、スリープモード移行処理が実行される。スリープモード移行処理により、電源部から画像処理部及び電圧検出回路への電力供給が停止される。
【００１０】
通常モード処理中及びスリープモード移行処理の実行前に、それぞれ、電圧検出回路から電圧値が取得される。
【００１１】
スリープモード移行処理の実行前に取得された電圧値が取得されたか否かを示す第２情報が電圧検出であった場合、回線電圧端子に電話回線が接続されている可能性が高い。そのため、いちいち、電圧検出回路を起動して回線電圧値を取得する必要はないため、第１時間ごとに電圧検出回路を起動するようにすることにより、電圧検出回路が無駄に駆動されることを抑制できる。その結果、電圧検出回路が無駄に駆動されないことによる省エネを図ることができる。
【００１２】
また、第１情報が電圧検出、第２情報が電圧未検出であった場合、一度は、回線接続端子に電話回線が接続されているため、第２情報が電圧未検出であったとしても、偶発的に回線電圧端子の回線電圧値がゼロになった場合も考えられるので、一旦は、スリープモードへ移行させ、第１時間より短い第２時間後、電圧検出回路を起動させて、それでも電圧が未検出であれば、本当に回線接続端子に電話回線が接続されていないと判断し、オフモード移行処理を実行することで、電圧検出回路が無駄に駆動させないことによる省エネを図ることができる。
【発明の効果】
【００１３】
本発明によれば、スリープモード移行処理の実行前に電圧検出回路が電圧を検出した場合には、電圧検出回路を無駄に駆動させないことで省エネを図ることができる。通常モード処理中に電圧検出回路が電圧を検出せず、かつ、スリープモード移行処理の実行前に電圧検出回路が電圧を検出しない場合には、本当に回線接続端子に電話回線が接続されていないと判断し、オフモード移行処理を実行することによって、電圧検出回路を無駄に駆動させないことで省エネを図ることができる。
【図面の簡単な説明】
【００１４】
【図１】本発明の一実施形態に係るＭＦＰの電気的構成の要部を示すブロック図である。
【図２】ＭＦＰの電力消費状態の遷移を示す状態遷移図である。
【図３】第１の状態遷移処理の流れを示すフローチャートである。
【図４】通常処理の流れを示すフローチャートである。
【図５】第１の条件分岐処理の流れを示すフローチャートである。
【図６】スリープ移行処理の流れを示すフローチャートである。
【図７】オフモード処理の流れを示すフローチャートである。
【図８】第２の状態遷移処理の流れを示すフローチャートである。
【図９】第２の条件分岐処理の流れを示すフローチャートである。
【発明を実施するための形態】
【００１５】
以下では、本発明の実施の形態について、添付図面を参照しつつ詳細に説明する。
【００１６】
＜ＭＦＰの構成＞
【００１７】
ＭＦＰ１（画像処理装置の一例）は、図１に示されるように、プリンタ機能、スキャナ機能及びファクシミリ機能を有する複合機である。具体的には、ＭＦＰ１は、各種機能を実現するために、画像形成部１１（画像処理部の一例）、画像読取部１２（画像処理部の一例）、表示部１３、操作部１４、モデム部１５、ネットワーク通信部１６及び低圧電源１７（電源部の一例）を備えている。
【００１８】
画像形成部１１は、画像形成ジョブについての画像形成を実行し、画像形成ジョブに係る画像をシートに形成する。画像形成の方式は、電子写真方式であってもよいし、インクジェット方式であってもよい。
【００１９】
画像読取部１２は、イメージセンサ及びＡＦＥ（Analog Front End）などを備えている。画像読取部１２では、イメージセンサにより原稿の画像が読み取られて、イメージセンサからアナログ画像信号が出力され、ＡＦＥによりそのアナログ画像信号がデジタル画像データに変換される。
【００２０】
表示部１３は、例えば、液晶表示器からなる。
【００２１】
操作部１４は、各種の指示を入力するために操作される操作ボタン（例えば、電源キー、スタートキー、ＯＫキー、テンキー、カーソルキー）などを備えている。
【００２２】
モデム部１５は、モジュラジャック２１（回線接続端子の一例）を介して、電話回線網２２に接続される。モジュラジャック２１は、モジュラケーブル２３の一端が接続される端子であり、第１接点２４（端子の一例）及び第２接点２５（端子の一例）を有している。モジュラケーブル２３の一端がモジュラジャック２１に接続されると、モジュラケーブル２３の２つの局線のうちの一方が第１接点２４に接続され、他方が第２接点２５に接続される。モジュラケーブル２３の他端は、電話回線網２２に接続されている。
【００２３】
モデム部１５は、ＤＡＡ（Direct Access Arrangement）３１及びモデム３２を内蔵している。ＤＡＡ３１は、電圧検出回路３３を備えている。電圧検出回路３３は、一対の第１接続線３５及び第２接続線３６を介して、モジュラジャック２１の第１接点２４及び第２接点２５に接続されている。電話回線網２２を構成する電話回線には、４８Ｖ程度の直流電圧が印加されている。電圧検出回路３３は、電話回線から第１接続線３５及び第２接続線３６に入力される回線電圧（直流電圧）を検出する。ＤＡＡ３１は、電話回線網２２への回線信号の送出及び電話回線網２２からの受信などを制御する回線信号送受信回路３４を更に備えている。モデム３２は、デジタル信号を電話回線網２２に送出するアナログ信号に変調し、電話回線網２２から受信されるアナログ信号をデジタル信号に復調する機能を有している。
【００２４】
ネットワーク通信部１６は、ＰＣ（Personal Computer）などの外部端末２とのＬＡＮ（Local Area Network）を経由したネットワーク通信のための回路などを備えている。
【００２５】
低圧電源１７は、画像形成部１１、画像読取部１２、表示部１３、操作部１４、モデム部１５及びネットワーク通信部１６などの各部に供給される動作電圧を発生させる電源である。低圧電源１７は、動作状態で、商用交流電源から電圧（例えば、１００Ｖ）の供給を受け、その電圧を動作電圧用の所定電圧（例えば、２４Ｖ）に変換する。なお、表示部１３、操作部１４及びネットワーク通信部１６の動作電力は、低圧電源１７から直接供給されてもよいし、後述のＡＳＩＣ４１を経由して供給されてもよい。
【００２６】
低圧電源１７の動作／停止は、操作部１４に設けられている電源キー（電源ボタン）の押操作により交互に切り替わる。すなわち、低圧電源１７が停止状態で電源キーが押操作されると、低圧電源１７が動作状態になり、低圧電源１７が動作状態で電源キーが押操作されると、低圧電源１７が停止状態になる。
【００２７】
以下では、低圧電源１７の動作状態を「電源オンの状態」といい、低圧電源１７の停止状態を「電源オフの状態」という。
【００２８】
ＭＦＰ１は、ＡＳＩＣ（Application Specific Integrated Circuit）４１、ＲＯＭ４２及びＲＡＭ４３を備えている。
【００２９】
ＡＳＩＣ４１（制御部の一例）は、ＣＰＵ４４を内蔵している。ＡＳＩＣ４１には、画像形成部１１、画像読取部１２、表示部１３、操作部１４、モデム部１５、ネットワーク通信部１６及び低圧電源１７が電気的に接続されている。ＡＳＩＣ４１の動作電圧は、低圧電源１７から供給される。ＣＰＵ４４は、ＲＯＭ４２に記憶されているプログラムを実行し、操作部１４やモデム部１５などからＡＳＩＣ４１に入力される信号などに基づいて、画像形成部１１、画像読取部１２、表示部１３、モデム部１５及びネットワーク通信部１６を制御する。ＣＰＵ４４による制御（プログラム）の実行時、ＲＡＭ４３は、ＣＰＵ４４によって、ワークエリアとして使用される。ＲＡＭ４３には、ＮＶＲＡＭ（Non Volatile RAM）などの不揮発性メモリが含まれていてもよい。
【００３０】
＜状態遷移＞
【００３１】
ＭＦＰ１では、図２に示されるように、モデム部１５への電話回線網２２の接続の有無、画像形成部１１に対する画像形成の実行命令の有無、画像読取部１２に対する画像読取の実行命令の有無、操作部１４の操作の有無等に応じて、電力消費状態が遷移する。
【００３２】
電源オフの状態から電源キーが押操作（オン）されると、ＭＦＰ１の電力消費状態が待機状態となる。待機状態では、低圧電源１７から画像形成部１１、画像読取部１２、表示部１３、操作部１４、モデム部１５及びネットワーク通信部１６に動作電力が供給される。待機状態は、操作部１４のキー操作による画像形成又は画像読取の実行命令待ち、モデム部１５又はネットワーク通信部１６による画像形成に係るデータの受信待ちの状態である。画像形成部１１に動作電力が供給されているので、画像形成の実行命令又は画像形成に係るデータの受信があると、待機状態から画像形成部１１による画像形成の実行状態に直ちに移行する。また、画像読取部１２に動作電力が供給されているので、画像読取部１２による画像読取の実行命令があると、待機状態から画像読取部１２による画像読取の実行状態に直ちに移行する。画像形成又は画像読取の実行終了後は、電力消費状態が待機状態となる。
【００３３】
なお、以下では、低圧電源１７から画像形成部１１、画像読取部１２、表示部１３、操作部１４、モデム部１５及びネットワーク通信部１６等の各部への動作電力の供給及び動作電力が供給されている状態を「オン」と表現し、各部への動作電力の供給の停止及び動作電力の供給が停止されている状態を「オフ」と表現する。
【００３４】
待機状態において、画像形成若しくは画像読取の実行命令又は画像形成に係るデータの受信がなく、所定時間Ｔ１が経過すると、電力消費状態が待機状態からスリープ状態に移行する。スリープ状態では、画像形成部１１、画像読取部１２、表示部１３及びモデム部１５の電圧検出回路３３がオフにされ、操作部１４、モデム部１５の回線信号送受信回路３４及びネットワーク通信部１６がオンにされる。したがって、スリープ状態は、待機状態よりも消費電力が低い。スリープ状態において、画像形成若しくは画像読取の実行命令又は画像形成に係るデータの受信があると、電力消費状態がスリープ状態から待機状態に戻り、画像形成部１１、画像読取部１２及び表示部１３がオンされる。そして、待機状態から画像形成又は画像読取の実行状態に移行する。
【００３５】
スリープ状態において、画像形成若しくは画像読取の実行命令又は画像形成に係るデータの受信がなく、所定時間Ｔ２が経過し、その時点でモデム部１５が電話回線網２２（電話回線）と接続されていない場合、電力消費状態がスリープ状態からオフモード状態に移行する。オフモード状態では、画像形成部１１、画像読取部１２、表示部１３、モデム部１５及びネットワーク通信部１６がオフにされ、操作部１４がオンにされる。したがって、オフモード状態は、スリープ状態よりも消費電力が更に低く、消費電力が最も低い状態である。
【００３６】
オフモード状態で所定時間Ｔ３が経過すると、電力消費状態がオフモード状態から一時復帰モード状態に移行する。一時復帰モード状態では、モデム部１５の電圧検出回路３３がオンされる。そして、電圧検出回路３３により検出される電圧値が０である場合、つまりモデム部１５が電話回線網２２に接続されていない場合は、電圧検出回路３３がオフされて、電力消費状態が一時復帰モード状態からオフモードに戻る。一方、電圧検出回路３３により検出される電圧値が０でない場合、つまりモデム部１５が電話回線網２２に接続されている場合は、電力消費状態が一時復帰モード状態から待機状態に移行する。
【００３７】
オフモード状態において、電源キーが押操作（オン）されると、電力消費状態がオフモード状態から待機状態に移行する。
【００３８】
電力消費状態を遷移させるため、ＣＰＵ４４により、次に説明する状態遷移処理が実行される。
【００３９】
＜状態遷移処理＞
【００４０】
状態遷移処理では、ＣＰＵ４４は、通常処理を実行する（Ｓ１）。
【００４１】
＊通常処理
【００４２】
通常処理では、図４に示されるように、ＣＰＵ４４は、ＲＡＭ４３に設定されているフラグ（ＦＬＡＧ）１及びフラグ（ＦＬＡＧ）２の各状態を０にリセットする（Ｓ１０１）。
【００４３】
ＣＰＵ４４は、表示部１３及び操作部１４をオンにし（Ｓ１０２）、画像形成部１１及び画像読取部１２をオンにし（Ｓ１０３）、ネットワーク通信部１６をオンにする（Ｓ１０４）。また、ＣＰＵ４４は、モデム部１５の全体、具体的には、電圧検出回路３３及び回線信号送受信回路３４をオンにする（Ｓ１０５）。これにより、ＭＦＰ１の電力消費状態は、画像形成部１１、画像読取部１２、表示部１３、操作部１４、モデム部１５及びネットワーク通信部１６の全てがオンにされた待機状態となる。
【００４４】
その後、ＣＰＵ４４は、モデム部１５の電圧検出回路３３により検出される電圧値を取得する（Ｓ１０６）。
【００４５】
電圧値の取得後、その電圧値から回線電圧の有無を判断する（Ｓ１０７）。具体的には、ＣＰＵ４４は、電圧検出回路３３により検出される電圧値が０でない場合、回線電圧有りと判断する（Ｓ１０７：ＹＥＳ）。言い換えれば、ＣＰＵ４４は、電圧検出回路３３により回線電圧が検出されている場合、回線電圧有りと判断する。一方、ＣＰＵ４４は、電圧検出回路３３により検出される電圧値が０である場合、回線電圧無しと判断する（Ｓ１０７：ＮＯ）。
【００４６】
ＣＰＵ４４は、回線電圧有りと判断した場合（Ｓ１０７：ＹＥＳ）、フラグ１の状態を１にする（Ｓ１０８）。
【００４７】
ＣＰＵ４４は、回線電圧無しと判断した場合（Ｓ１０７：ＮＯ）、フラグ１の状態を０のままにする（Ｓ１０９）。
【００４８】
そして、ＣＰＵ４４は、所定時間Ｔ１の計測を開始する（Ｓ１１０）。
【００４９】
所定時間Ｔ１の計測中、ＣＰＵ４４は、操作部１４のキー操作による画像形成又は画像読取の実行命令、及び、モデム部１５又はネットワーク通信部１６による画像形成に係る信号（データ）の受信の有無を判断する（Ｓ１１１）。なお、以下では、操作部１４のキー操作による画像形成又は画像読取の実行命令を、単に「処理命令」といい、モデム部１５又はネットワーク通信部１６による画像形成に係るデータの受信を、単に「データ受信」という。
【００５０】
所定時間Ｔ１の計測中に処理命令が入力又は受信された場合には（Ｓ１１１：ＹＥＳ）、ＣＰＵ４４は、所定時間Ｔ１の計測を終了し、処理命令に応じて、画像形成部１１又は画像読取部１２を制御して、画像形成又は画像読取を実行する（Ｓ１１２）。なお、操作部１４のキー操作によりコピーの実行が指示された場合には、画像読取部１２による画像読取の実行に続き、画像形成部１１による画像形成が実行される。画像形成又は画像読取の実行後、ＣＰＵ４４は、所定時間Ｔ１の計測を新たに開始する（Ｓ１１０）。
【００５１】
所定時間Ｔ１の計測中に処理命令が入力又は受信されずに（Ｓ１１１：ＮＯ）、第１待機状態の開始時又は処理命令の入力若しくは受信時から所定時間Ｔ１が経過すると（Ｓ１１３：ＹＥＳ）、ＣＰＵ４４は、通常処理を終了する。
【００５２】
＊第１の条件分岐処理
【００５３】
図３に示されるように、通常処理の終了後、ＣＰＵ４４は、第１の条件分岐処理を実行する（Ｓ２）。
【００５４】
第１の条件分岐処理では、図５に示されるように、ＣＰＵ４４は、モデム部１５の電圧検出回路３３により検出される電圧値を取得する（Ｓ２０１）。
【００５５】
電圧値の取得後、ＣＰＵ４４は、その電圧値から回線電圧の有無を判断する（Ｓ２０２）。回線電圧の有無の判断については、前述したとおりである。
【００５６】
ＣＰＵ４４は、回線電圧有りと判断した場合（Ｓ２０２：ＹＥＳ）、フラグ２の状態を１にする（Ｓ２０３）。
【００５７】
ＣＰＵ４４は、回線電圧無しと判断した場合（Ｓ２０２：ＮＯ）、フラグ２の状態を０のままにする（Ｓ２０４）。
【００５８】
そして、ＣＰＵ４４は、フラグ１の状態が１であるか否かを判断する（Ｓ２０５）。
【００５９】
フラグ１の状態が１である場合（Ｓ２０５：ＹＥＳ）、ＣＰＵ４４は、フラグ２の状態が１であるか否かを判断する（Ｓ２０６）。
【００６０】
フラグ１及びフラグ２の両方の状態が１である場合は（Ｓ２０６：ＹＥＳ）、待機状態で、電圧検出回路３３により回線電圧が検出され、かつ、待機状態の開始時又は処理命令若しくはデータ受信時から所定時間Ｔ１が経過した時点で、電圧検出回路３３により回線電圧が検出された場合である。この場合、現在もなお、モジュラジャック２１にモジュラケーブル２３が接続され、モデム部１５が電話回線網２２に接続されている可能性が高い。そのため、ＣＰＵ４４は、所定時間Ｔ２を第１時間（例えば、１時間）に設定する（Ｓ２０７）。
【００６１】
フラグ１の状態が１であり、フラグ２の状態が１でない場合は（Ｓ２０６：ＮＯ）、待機状態では、電圧検出回路３３により回線電圧が検出されたが、待機状態の開始時又は処理命令若しくはデータ受信時から所定時間Ｔ１が経過した時点では、電圧検出回路３３により回線電圧が検出されなかった場合である。この場合、待機状態中に、モジュラジャック２１からモジュラケーブル２３が抜かれ、モデム部１５が電話回線網２２に接続されていない可能性があるが、一度は回線電圧が検出されているので（モデム部１５が電話回線網２２に接続されているので）、待機状態の開始時又は処理命令若しくはデータ受信時から所定時間Ｔ１が経過した時点で、偶発的に回線電圧が検出されなかった可能性もある。そのため、ＣＰＵ４４は、所定時間Ｔ２を第１時間よりも短い第２時間（例えば、３０分）に設定する（Ｓ２０８）
【００６２】
フラグ１の状態が０である場合にも（Ｓ２０５：ＮＯ）、ＣＰＵ４４は、フラグ２の状態が１であるか否かを判断する（Ｓ２０９）。
【００６３】
フラグ１の状態が０であり、フラグ２の状態が１である場合は（Ｓ２０９：ＹＥＳ）、待機状態では、電圧検出回路３３により回線電圧が検出されなかったが、待機状態の開始時又は処理命令若しくはデータ受信時から所定時間Ｔ１が経過した時点では、電圧検出回路３３により回線電圧が検出された場合である。この場合、待機状態中に、モジュラジャック２１にモジュラケーブル２３が接続されて、モデム部１５が電話回線網２２に接続され、現在もなお、モデム部１５が電話回線網２２に接続されている可能性が高い。そのため、ＣＰＵ４４は、ＭＦＰ１の電力消費状態をスリープ状態からオフモード状態に移行させる判断に用いられる所定時間Ｔ２を第１時間（例えば、１時間）に設定する（Ｓ２１０）。
【００６４】
所定時間Ｔ２の設定後、ＣＰＵ４４は、ＭＦＰ１の電力消費状態を待機状態からスリープ状態に移行させることを決定し（Ｓ２１１）、第１の条件分岐処理を終了する。
【００６５】
一方、フラグ１及びフラグ２の両方の状態が０である場合は（Ｓ２０９：ＮＯ）、待機状態において、電圧検出回路３３により回線電圧が検出されず、かつ、待機状態の開始時又は処理命令若しくはデータ受信時から所定時間Ｔ１が経過した時点においても、電圧検出回路３３により回線電圧が検出されなかった場合である。この場合、現在もなお、モジュラジャック２１にモジュラケーブル２３が接続されておらず、モデム部１５が電話回線網２２に接続されていない可能性が高い。そのため、ＣＰＵ４４は、ＭＦＰ１の電力消費状態を待機状態からオフモード状態に移行させることを決定し（Ｓ２１２）、第１の条件分岐処理を終了する。
【００６６】
＊スリープ移行処理
【００６７】
図３に示されるように、第１の条件分岐処理の終了後、ＣＰＵ４４は、第１の条件分岐処理でスリープ状態への移行を決定した場合には（Ｓ３：ＹＥＳ）、スリープ移行処理を実行する（Ｓ４）。一方、ＣＰＵ４４は、第１の条件分岐処理でオフモード状態への移行を決定した場合には（Ｓ３：ＮＯ）、オフモード処理を実行する（Ｓ１３）。オフモード処理については、後述する。
【００６８】
スリープ移行処理では、図６に示されるように、ＣＰＵ４４は、表示部１３をオフにし（Ｓ４１）、画像形成部１１及び画像読取部１２をオフにする（Ｓ４２）。また、モデム部１５の電圧検出回路３３がオフにされる（Ｓ４３）。これにより、ＭＦＰ１の電力消費状態は、画像形成部１１、画像読取部１２、表示部１３及びモデム部１５の電圧検出回路３３がオフにされ、操作部１４、モデム部１５の回線信号送受信回路３４及びネットワーク通信部１６がオンにされたスリープ状態となる。
【００６９】
＊オフモード状態移行判断
【００７０】
図３に示されるように、スリープ移行処理の終了後、ＣＰＵ４４は、スリープ状態の開始とともに、ＣＰＵ４４は、所定時間Ｔ２の計測を開始する（Ｓ５）。
【００７１】
そして、ＣＰＵ４４は、処理命令及びデータ受信の有無を判断する（Ｓ６）。
【００７２】
処理命令及びデータ受信がない場合（Ｓ６：ＮＯ）、ＣＰＵ４４は、所定時間Ｔ２の計測を続け、スリープ状態の開始から所定時間Ｔ２が経過したか否かを判断する（Ｓ７）。
【００７３】
スリープ状態の開始から所定時間Ｔ２が経過する前に、処理命令又はデータ受信があった場合（Ｓ６：ＹＥＳ）、ＣＰＵ４４は、通常処理を実行する（Ｓ１）。そのため、ＭＦＰ１の電力消費状態は、スリープ状態から待機状態に移行する。そして、通常処理において、ＣＰＵ４４は、処理命令又はデータ受信があったと判断し（図４のＳ１１１：ＹＥＳ）、その処理命令又はデータ受信に応じた画像形成又は画像読取を実行させる（Ｓ１１２）。
【００７４】
処理命令及びデータ受信がなく（Ｓ６：ＮＯ）、第１スリープ状態の開始から所定時間Ｔ２が経過すると（Ｓ７：ＹＥＳ）、ＣＰＵ４４は、モデム部１５の電圧検出回路３３をオンにする（Ｓ８）。
【００７５】
そして、ＣＰＵ４４は、電圧検出回路３３により検出される電圧値を取得する（Ｓ９）。
【００７６】
電圧値の取得後、ＣＰＵ４４は、その電圧値から回線電圧の有無を判断する（Ｓ１０）。回線電圧の有無の判断については、前述したとおりである。
【００７７】
ＣＰＵ４４は、回線電圧有りと判断した場合（Ｓ１０：ＹＥＳ）、電圧検出回路３３をオフにする（Ｓ１１）。
【００７８】
回線電圧有りの場合、モジュラジャック２１にモジュラケーブル２３が接続されており、モデム部１５が電話回線網２２に接続されている可能性が高い。そのため、ＣＰＵ４４は、所定時間Ｔ２を第１時間（例えば、１時間）に設定する（Ｓ１２）。そして、ＣＰＵ４４は、スリープ移行処理を実行することにより、ＭＦＰ１の電力消費状態をスリープ状態に維持する。
【００７９】
一方、回線電圧無しの場合、モジュラジャック２１にモジュラケーブル２３が接続されておらず、モデム部１５が電話回線網２２に接続されていない可能性が高い。ＣＰＵ４４は、回線電圧無しと判断した場合（Ｓ１０：ＮＯ）、オフモード処理を実行し（Ｓ１３）、状態遷移処理を終了する。
【００８０】
＊オフモード処理
【００８１】
オフモード処理では、図７に示されるように、ＣＰＵ４４は、ネットワーク通信部１６をオフにする（Ｓ１３１）。また、ＣＰＵ４４は、モデム部１５の回線信号送受信回路３４をオフにする（Ｓ１３２）。回線信号送受信回路３４のオフにより、モデム部１５の全体がオフになる。その結果、ＭＦＰ１の電力消費状態は、画像形成部１１、画像読取部１２、表示部１３、モデム部１５及びネットワーク通信部１６がオフにされ、操作部１４がオンにされたオフモード状態となる。
【００８２】
オフモード状態の開始とともに、ＣＰＵ４４は、所定時間Ｔ３の計測を開始する（Ｓ１３３）。
【００８３】
そして、ＣＰＵ４４は、操作部１４の電源キーが押操作（オン）されたか否かを判断する（Ｓ１３４）。
【００８４】
電源キーがオンされない場合（Ｓ１３４：ＮＯ）、ＣＰＵ４４は、所定時間Ｔ３の計測を続け、その計測開始から所定時間Ｔ３が経過したか否かを判断する（Ｓ１３５）。
【００８５】
電源キーがオンされることなく（Ｓ１３４：ＮＯ）、所定時間Ｔ３が経過すると（Ｓ１３５：ＹＥＳ）、ＣＰＵ４４は、モデム部１５の電圧検出回路３３をオンにする（Ｓ１３６）。これにより、ＭＦＰ１の電力消費状態は、オフモード状態から一時復帰モード状態に移行する。
【００８６】
一時復帰モード状態において、ＣＰＵ４４は、モデム部１５の電圧検出回路３３により検出される電圧値を取得する（Ｓ１３７）。
【００８７】
電圧値の取得後、ＣＰＵ４４は、その電圧値から回線電圧の有無を判断する（Ｓ１３８）。回線電圧の有無の判断については、前述したとおりである。
【００８８】
ＣＰＵ４４は、回線電圧無しと判断した場合（Ｓ１３８：ＮＯ）、電圧検出回路３３をオフにする（Ｓ１３９）。これにより、ＭＦＰ１の電力消費状態は、一時復帰モード状態からオフモード状態に戻る。
【００８９】
オフモード状態に戻ると、ＣＰＵ４４は、所定時間Ｔ３の計測を新たに開始する（Ｓ１３３）。
【００９０】
一方、ＣＰＵ４４は、回線電圧有りと判断した場合（Ｓ１３８：ＹＥＳ）、オフモード処理を終了し、図３に示される状態遷移処理を新たに開始する。図３に示される状態遷移処理が新たに開始されることにより、ＭＦＰ１の電力消費状態は、一時復帰モード状態から待機状態に移行する。
【００９１】
また、オフモード状態において、操作部１４の電源キーがオンされた場合にも（Ｓ１３４：ＹＥＳ）、ＣＰＵ４４は、オフモード処理を終了し、図３に示される状態遷移処理を新たに開始する。図３に示される状態遷移処理が新たに開始されることにより、ＭＦＰ１の電力消費状態は、オフモード状態から待機状態に移行する。
【００９２】
＜作用効果＞
【００９３】
以上のように、待機状態中、及び、待機状態の開始時又は処理命令若しくはデータ受信時から所定時間Ｔ１が経過した時に、それぞれ、電圧検出回路３３により検出される電圧値が取得される。この電圧値が０でない場合、電圧検出回路３３により回線電圧が検出されており、電圧値が０であれば、電圧検出回路３３により回線電圧が検出されていないことになる。
【００９４】
待機状態の開始時又は処理命令若しくはデータ受信時から所定時間Ｔ１が経過した時に回線電圧が検出され、これによりフラグ２の状態が１である場合は、モジュラジャック２１にモジュラケーブル２３が接続されており、モデム部１５が電話回線網２２に接続されている可能性が高い。そのため、電圧検出回路３３により検出される電圧値を頻繁に取得する必要がない。したがって、所定時間Ｔ２が第１時間に設定され、スリープ状態において、第１時間毎に電圧検出回路３３をオンにすることにより、電圧検出回路３３が無駄に駆動されることを抑制できる。その結果、電圧検出回路３３が無駄に駆動されないことによる省エネ（省電力）を図ることができる。
【００９５】
待機状態中に電圧が検出されることにより、フラグ１の状態が１であり、待機状態の開始時又は処理命令若しくはデータ受信時から所定時間Ｔ１が経過した時に回線電圧が検出されなかったことにより、フラグ２の状態が０である場合は、一度は回線電圧が検出されていることから、待機状態の開始時又は処理命令若しくはデータ受信時から所定時間Ｔ１が経過した時点で、偶発的に回線電圧が検出されなかった可能性もある。そのため、所定時間Ｔ２が第１時間よりも短い第２時間に設定される。そして、スリープ状態の開始から第１時間より短い第２時間後に、電圧検出回路３３をオンにして、それでも回線電圧が検出されなければ、モジュラジャック２１にモジュラケーブル２３が接続されておらず、モデム部１５が電話回線網２２に接続されていない可能性が高い。この場合、電力消費状態がスリープ状態からオフモード状態に移行される。これにより、省エネを図ることができる。
【００９６】
また、待機状態中に電圧検出回路３３により回線電圧が検出されず、かつ、待機状態の開始時又は処理命令若しくはデータ受信時から所定時間Ｔ１が経過した時点においても、電圧検出回路３３により回線電圧が検出されなかったことにより、フラグ１及びフラグ２の両方の状態が０である場合は、モデム部１５が電話回線網２２に接続されていない可能性が高いので、電力消費状態が待機状態からオフモード状態に移行される。これにより、省エネを図ることができる。
【００９７】
スリープ状態の開始から所定時間Ｔ２が経過した時点で、電圧検出回路３３により回線電圧が検出された場合、モジュラジャック２１にモジュラケーブル２３が接続されており、モデム部１５が電話回線網２２に接続されている可能性が高い。そのため、電圧検出回路３３がオフにされて、ＭＦＰ１の電力消費状態がスリープ状態に維持される。電圧検出回路３３のオフにより、省エネを図ることができる。
【００９８】
また、その場合、所定時間Ｔ２が第２時間よりも長い第１時間に設定される（Ｓ１２）。スリープ状態において、第１時間毎に電圧検出回路３３をオンにすることにより、電圧検出回路３３が無駄に駆動されることを抑制でき、省エネを図ることができる。
【００９９】
＜第２実施形態＞
【０１００】
図３に示される状態遷移処理に代えて、図８に示される状態遷移処理が実行されてもよい。なお、図８において、図３に示される各ステップに相当するステップには、それらのステップ番号が付されている。以下では、図８に示される状態遷移処理について、図３に示される状態遷移処理との相違を重点的に説明し、図３に示される状態遷移処理と重複する内容の説明を省略又は簡略化する。
【０１０１】
図８に示される状態遷移処理では、ＣＰＵ４４は、通常処理を実行する（Ｓ１）。通常処理については、前述したとおりである。
【０１０２】
通常処理の終了後、ＣＰＵ４４は、第２の条件分岐処理を実行する（Ｓ１４）。
【０１０３】
＊第２の条件分岐処理
【０１０４】
第２の条件分岐処理では、図９に示されるように、ＣＰＵ４４は、モデム部１５の電圧検出回路３３により検出される電圧値を取得する（Ｓ１４１）。
【０１０５】
電圧値の取得後、ＣＰＵ４４は、その電圧値から回線電圧の有無を判断する（Ｓ１４２）。回線電圧の有無の判断については、前述したとおりである。
【０１０６】
ＣＰＵ４４は、回線電圧有りと判断した場合（Ｓ１４２：ＹＥＳ）、フラグ２の状態を１にする（Ｓ１４３）。
【０１０７】
ＣＰＵ４４は、回線電圧無しと判断した場合（Ｓ１４２：ＮＯ）、フラグ２の状態を０のままにする（Ｓ１４４）。
【０１０８】
そして、ＣＰＵ４４は、フラグ１の状態が１であるか否かを判断する（Ｓ１４５）。
【０１０９】
フラグ１の状態が１である場合（Ｓ１４５：ＹＥＳ）、ＣＰＵ４４は、フラグ２の状態が１であるか否かを判断する（Ｓ１４６）。
【０１１０】
フラグ１及びフラグ２の両方の状態が１である場合は（Ｓ１４６：ＹＥＳ）、待機状態で、電圧検出回路３３により回線電圧が検出され、かつ、待機状態の開始時又は処理命令若しくはデータ受信時から所定時間Ｔ１が経過した時点で、電圧検出回路３３により回線電圧が検出された場合である。この場合、現在もなお、モジュラジャック２１にモジュラケーブル２３が接続され、モデム部１５が電話回線網２２に接続されている可能性が高い。そのため、ＣＰＵ４４は、所定時間Ｔ２を第１時間（例えば、１時間）に設定する（Ｓ１４７）。
【０１１１】
フラグ１の状態が１であり、フラグ２の状態が１でない場合は（Ｓ１４６：ＮＯ）、待機状態では、電圧検出回路３３により回線電圧が検出されたが、待機状態の開始時又は処理命令若しくはデータ受信時から所定時間Ｔ１が経過した時点では、電圧検出回路３３により回線電圧が検出されなかった場合である。この場合、待機状態中に、モジュラジャック２１からモジュラケーブル２３が抜かれ、モデム部１５が電話回線網２２に接続されていない可能性があるが、一度は回線電圧が検出されているので（モデム部１５が電話回線網２２に接続されているので）、待機状態の開始時又は処理命令若しくはデータ受信時から所定時間Ｔ１が経過した時点で、偶発的に回線電圧が検出されなかった可能性もある。そのため、ＣＰＵ４４は、所定時間Ｔ２を第１時間よりも短い第２時間（例えば、３０分）に設定する（Ｓ１４８）
【０１１２】
フラグ１の状態が０である場合にも（Ｓ１４５：ＮＯ）、ＣＰＵ４４は、フラグ２の状態が１であるか否かを判断する（Ｓ１４９）。
【０１１３】
フラグ１の状態が０であり、フラグ２の状態が１である場合は（Ｓ１４９：ＹＥＳ）、待機状態では、電圧検出回路３３により回線電圧が検出されなかったが、待機状態の開始時又は処理命令若しくはデータ受信時から所定時間Ｔ１が経過した時点では、電圧検出回路３３により回線電圧が検出された場合である。この場合、待機状態中に、モジュラジャック２１にモジュラケーブル２３が接続されて、モデム部１５が電話回線網２２に接続され、現在もなお、モデム部１５が電話回線網２２に接続されている可能性が高い。そのため、ＣＰＵ４４は、ＭＦＰ１の電力消費状態をスリープ状態からオフモード状態に移行させる判断に用いられる所定時間Ｔ２を第１時間（例えば、１時間）に設定する（Ｓ１５０）。
【０１１４】
フラグ１及びフラグ２の両方の状態が０である場合は（Ｓ１４９：ＮＯ）、待機状態において、電圧検出回路３３により回線電圧が検出されず、かつ、待機状態の開始時又は処理命令若しくはデータ受信時から所定時間Ｔ１が経過した時点においても、電圧検出回路３３により回線電圧が検出されなかった場合である。この場合、現在もなお、モジュラジャック２１にモジュラケーブル２３が接続されておらず、モデム部１５が電話回線網２２に接続されていない可能性が高いが、偶然、回線異常等により回線電圧が一時的に低下していた可能性もある。そのため、ＣＰＵ４４は、所定時間Ｔ２を第２時間よりも更に短い第３時間（例えば、５分）に設定する（Ｓ１５１）。
【０１１５】
所定時間Ｔ２の設定後、ＣＰＵ４４は、第２の条件分岐処理を終了する。
【０１１６】
図８に示されるように、第２の条件分岐処理の終了後、ＣＰＵ４４は、スリープ移行処理を実行する（Ｓ４）。図８に示される条件遷移処理では、図３に示される条件遷移処理と異なり、スリープ移行処理の開始前に、スリープ状態への移行が決定されたか否かの判断が行われない。スリープ移行処理については、前述したとおりである。
【０１１７】
＊オフモード状態移行判断
【０１１８】
図３に示されるように、スリープ移行処理の終了後、ＣＰＵ４４は、スリープ状態の開始とともに、ＣＰＵ４４は、所定時間Ｔ２の計測を開始する（Ｓ５）。
【０１１９】
そして、ＣＰＵ４４は、処理命令及びデータ受信の有無を判断する（Ｓ６）。
【０１２０】
処理命令及びデータ受信がない場合（Ｓ６：ＮＯ）、ＣＰＵ４４は、所定時間Ｔ２の計測を続け、スリープ状態の開始から所定時間Ｔ２が経過したか否かを判断する（Ｓ７）。
【０１２１】
スリープ状態の開始から所定時間Ｔ２が経過する前に、処理命令又はデータ受信があった場合（Ｓ６：ＹＥＳ）、ＣＰＵ４４は、通常処理を実行する（Ｓ１）。
【０１２２】
処理命令及びデータ受信がなく（Ｓ６：ＮＯ）、第１スリープ状態の開始から所定時間Ｔ２が経過すると（Ｓ７：ＹＥＳ）、ＣＰＵ４４は、モデム部１５の電圧検出回路３３をオンにする（Ｓ８）。そして、ＣＰＵ４４は、電圧検出回路３３により検出される電圧値を取得し（Ｓ９）、その電圧値から回線電圧の有無を判断する（Ｓ１０）。
【０１２３】
ＣＰＵ４４は、回線電圧有りと判断した場合（Ｓ１０：ＹＥＳ）、電圧検出回路３３をオフにする（Ｓ１１）。
【０１２４】
回線電圧有りの場合、モジュラジャック２１にモジュラケーブル２３が接続されており、モデム部１５が電話回線網２２に接続されている可能性が高い。そのため、ＣＰＵ４４は、所定時間Ｔ２を第１時間（例えば、１時間）に設定する（Ｓ１２）。そして、ＣＰＵ４４は、スリープ移行処理を実行することにより、ＭＦＰ１の電力消費状態をスリープ状態に維持する。
【０１２５】
一方、回線電圧無しの場合、モジュラジャック２１にモジュラケーブル２３が接続されておらず、モデム部１５が電話回線網２２に接続されていない可能性が高い。ＣＰＵ４４は、回線電圧無しと判断した場合（Ｓ１０：ＮＯ）、オフモード処理を実行し（Ｓ１３）、状態遷移処理を終了する。
【０１２６】
以上の処理により、待機状態において、電圧検出回路３３により回線電圧が検出されず、かつ、待機状態の開始時又は処理命令若しくはデータ受信時から所定時間Ｔ１が経過した時点においても、電圧検出回路３３により回線電圧が検出されなかった場合には、待機状態からスリープ状態に一旦移行し、スリープ状態の開始から所定時間Ｔ２である第３時間が経過した時点で、回線電圧の有無が判断される。そして、回線電圧が検出されないことにより、モデム部１５が電話回線網２２に接続されていないことが確認されたうえで、スリープ状態からオフモード状態に移行する。これにより、モデム部１５が電話回線網２２に接続されているにもかかわらず、ＭＦＰ１の電力消費状態がオフモード状態とされることを抑制できる。
【０１２７】
＜変形例＞
【０１２８】
以上、本発明の実施形態について説明したが、本発明は、他の形態で実施することもできる。
【０１２９】
前述の実施形態では、ＣＰＵ４４が各処理を実行する場合について説明した。しかしながら、ＡＳＩＣ４１が複数のＣＰＵを備え、複数のＣＰＵが協働して各処理を実行してもよい。
【０１３０】
また、画像処理装置の一例として、ＭＦＰ１を取り上げたが、画像形成処理は、ファクシミリ機能を有する装置であれば、例えば、ファクシミリ機能を有する単機能のファクシミリ装置であってもよい。
【０１３１】
その他、前述の構成には、特許請求の範囲に記載された事項の範囲で種々の設計変更を施すことが可能である。
【符号の説明】
【０１３２】
１    ＭＦＰ
１１  画像形成部
１２  画像読取部
１４  操作部
１５  モデム部
１７  電源部
２１  モジュラジャック
２２  電話回線網
２４  第１接点
２５  第２接点
３３  電圧検出回路
３４  回線信号送受信回路
３５  第１接続線
３６  第２接続線
４１  ＡＳＩＣ
【図１】
0006409660.tif 000002
【図２】
0006409660.tif 000003
【図３】
0006409660.tif 000004
【図４】
0006409660.tif 000005
【図５】
0006409660.tif 000006
【図６】
0006409660.tif 000007
【図７】
0006409660.tif 000008
【図８】
0006409660.tif 000009
【図９】
0006409660.tif 000010